(57)【要約】      （修正有）【課題】光走査装置の熱変形による光学素子の位置ずれを低減するとともに光走査装置の防塵性能を維持する。【解決手段】光走査装置は、光源と、光源からの光ビームを偏向する偏向手段と、光ビームを感光体に結像する光学手段と、光源が取り付けられ、偏向手段および光学手段を内部に保持する光学ハウジング９０と、光学ハウジングを覆うカバー部材９１と、光学ハウジングとカバー部材との間を密封するシール部材と、カバー部材を光学ハウジングに締結するネジ１０１ｆと、カバー部材を光学ハウジングに締結する段付ネジ１０１ｈと、を備え、ネジは、光ビームを通過させる開口部に関して偏向手段が配置される側の第１の配置部においてカバー部材を光学ハウジングに締結し、段付ネジは、開口部に関して偏向手段が配置される側の反対側の第２の配置部においてカバー部材を光学ハウジングに締結し、段付ネジは、シール部材の外側に設けられている。【選択図】図６
2016099363.tif 000002
【特許請求の範囲】
【請求項１】
光走査装置であって、
光ビームを出射する光源と、
前記光源から出射された前記光ビームが感光体の表面を走査するように前記光ビームを偏向する偏向手段と、
前記光ビームを前記感光体の前記表面に結像する光学手段と、
前記光源が取り付けられ、前記偏向手段および前記光学手段を内部に保持する光学ハウジングと、
前記光学ハウジングを覆うカバー部材と、
前記光学ハウジングと前記カバー部材との間を密封する密封部材と、
前記光学ハウジングに対して前記カバー部材が移動しないように前記カバー部材を前記光学ハウジングに締結するネジと、
前記光走査装置が熱変形したときに、前記光学ハウジングと前記カバー部材との相対移動を許容するように前記カバー部材を前記光学ハウジングに締結する段付ネジと、
を備え、
前記光学ハウジングまたは前記カバー部材は、前記偏向手段により偏向された前記光ビームを前記感光体へ向けて通過させる開口部が設けられており、
前記ネジは、前記開口部に関して前記偏向手段が配置される側の前記光学ハウジングの第１の配置部において前記カバー部材を前記光学ハウジングに締結し、
前記段付ネジは、前記開口部に関して前記偏向手段が配置される前記側の反対側の光学ハウジングの第２の配置部において前記カバー部材を前記光学ハウジングに締結し、
前記段付ネジは、前記密封部材の外側に設けられている光走査装置。
【請求項２】
前記ネジは、前記第１の配置部において前記偏向手段を囲む少なくとも３ヶ所で前記カバー部材を前記光学ハウジングに締結する請求項１に記載の光走査装置。
【請求項３】
前記ネジは、前記密封部材の内側に設けられている請求項１又は２に記載の光走査装置。
【請求項４】
前記段付ネジは、前記開口部の長手方向の端部の近傍に設けられている請求項１乃至３のいずれか一項に記載の光走査装置。
【請求項５】
前記密封部材は、無端状の連続する可撓性部材である請求項１乃至４のいずれか一項に記載の光走査装置。
【請求項６】
前記光源を複数設け、
前記開口部を前記光学ハウジングまたは前記カバー部材に複数設けた請求項１乃至５のいずれか一項に記載の光走査装置。
【請求項７】
感光体を有し、記録媒体に画像を形成する画像形成部と、
前記感光体に光ビームを出射する請求項１乃至６のいずれか一項に記載の光走査装置と、
を備えた画像形成装置。
【発明の詳細な説明】
【技術分野】
【０００１】
本発明は、光学ハウジングにカバー部材を締結するネジおよび段付ネジを有する光走査装置に関する。
【背景技術】
【０００２】
光走査装置は、レーザービームプリンタやデジタル複写機等の画像形成装置に用いられている。光走査装置は、ミラー、レンズ等の光学素子を収容する光学ハウジングと、光学ハウジングを閉じるカバー部材とを有している。光走査装置の外部から内部へ侵入する塵埃により光学素子が汚れることを防止するために、光走査装置の全周にわたり光学ハウジングとカバー部材との間にシール部材を配置することが提案されている（特許文献１）。カバー部材は、ネジにより光学ハウジングに締結されている。ネジは、シール部材の内側に配置されている。
【先行技術文献】
【特許文献】
【０００３】
【特許文献１】特開２０１０−６６４３１号公報
【発明の概要】
【発明が解決しようとする課題】
【０００４】
光学ハウジングとカバー部材の材質が異なる場合、線膨張係数の違いにより熱変形量に差が生じ、光走査装置に反りが発生する。反りが発生すると内部に配設された光学素子の位置精度が狂い光学性能を劣化させる。カバー部材を光学ハウジングに固定する方法として複数のネジのいくつか又は全てを段付ネジにして線膨張差による反り変形を軽減したものが実施されている。ネジによる締結は、推力が非常に高く、例えば、Ｍ３のネジを締め付けトルク０．６３Ｎ・ｍで締め付けた場合、摩擦力等も考慮すると約７００Ｎの推力が発生する。この推力により、光学ハウジング、カバー部材およびネジが圧縮変形し、それぞれの接触面の間の隙間は、ほとんどなくなる。
【０００５】
一方、段付ネジを用いた場合、ネジとカバー部材の接触面は、シール部材の圧縮による反力を受ける。圧縮力が１．５Ｎ／ｃｍ2のシール材を面積５０ｃｍ2で使用すると、カバー部材取付け時の反力が７５Ｎとなる。７つの段付ネジによりカバー部材を締結すると、カバー部材の変形等を無視した場合、段付ネジ一つ当たりにかかる力は、約１０Ｎとなる。従って、段付ネジとカバー部材との間の隙間は、シール部材の反力によりあまり軽減できない。また、段付ネジを使用した場合、光学ハウジングとカバー部材は、接触しないので、光学ハウジングとカバー部材の間に隙間が残る。さらに、カバー部材に開けられた孔は、段付ネジの肩部との間に隙間を開けている。
【０００６】
従来、レンズ、ミラー、回転多面鏡等の光学素子に付着して画像不良を発生させる原因は、直径数μｍの画像形成装置内で飛散しているトナーや数十μｍのケバであることが多かった。直径数μｍのトナーや数十μｍのケバは、段付ネジを使用した場合の段付ネジとカバー部材との間の隙間から光走査装置の内部へ侵入する可能性が少ない。しかし近年、所謂大気エアロゾル粒子の中でも粒径が１μｍ以下の浮遊粒子が大気中に増加している。この浮遊粒子は、段付ネジを使用した場合の段付ネジとカバー部材との間の隙間、段付ネジの肩部と孔との間の隙間および光学ハウジングとカバー部材との間の隙間から、光走査装置の内部へ侵入する。そして、浮遊粒子は、光学素子を汚損し、画像不良を発生させることがある。そこで、微小な粒子の侵入を防ぐために、段付ネジではないネジにより光学ハウジングとカバー部材を締結する。その場合、光走査装置の熱変形により光学素子の位置ずれを低減できないという問題がある。
【０００７】
そこで、本発明は、光走査装置の熱変形による光学素子の位置ずれを低減するとともに防塵性能を維持することができる光走査装置を提供する。
【課題を解決するための手段】
【０００８】
前記課題を解決するために、本発明による光走査装置は、
光ビームを出射する光源と、
前記光源から出射された前記光ビームが感光体の表面を走査するように前記光ビームを偏向する偏向手段と、
前記光ビームを前記感光体の前記表面に結像する光学手段と、
前記光源が取り付けられ、前記偏向手段および前記光学手段を内部に保持する光学ハウジングと、
前記光学ハウジングを覆うカバー部材と、
前記光学ハウジングと前記カバー部材との間を密封する密封部材と、
前記光学ハウジングに対して前記カバー部材が移動しないように前記カバー部材を前記光学ハウジングに締結するネジと、
前記光走査装置が熱変形したときに、前記光学ハウジングと前記カバー部材との相対移動を許容するように前記カバー部材を前記光学ハウジングに締結する段付ネジと、
を備え、
前記光学ハウジングまたは前記カバー部材は、前記偏向手段により偏向された前記光ビームを前記感光体へ向けて通過させる開口部が設けられており、
前記ネジは、前記開口部に関して前記偏向手段が配置される側の前記光学ハウジングの第１の配置部において前記カバー部材を前記光学ハウジングに締結し、
前記段付ネジは、前記開口部に関して前記偏向手段が配置される前記側の反対側の光学ハウジングの第２の配置部において前記カバー部材を前記光学ハウジングに締結し、
前記段付ネジは、前記密封部材の外側に設けられている。
【発明の効果】
【０００９】
本発明によれば、光走査装置の熱変形による光学素子の位置ずれを低減するとともに光走査装置の防塵性能を維持することができる。
【図面の簡単な説明】
【００１０】
【図１】実施例１の光走査装置の概略断面図。
【図２】実施例１の光走査装置の概略斜視図。
【図３】実施例１のカバー部材の底面図。
【図４】実施例１の光学ハウジングとカバー部材の接合前の状態を示す斜視図。
【図５】接合前の第２の配置部を示す斜視図。
【図６】接合状態におけるネジと段付ネジの断面図。
【図７】別形態の接合状態におけるネジと段付ネジの断面図。
【図８】実施例２の光走査装置の概略断面図。
【図９】実施例２の光走査装置の概略斜視図。
【図１０】実施例２のカバー部材の底面図。
【図１１】実施例２の光学ハウジングとカバー部材の接合前の状態を示す斜視図。
【図１２】画像形成装置の断面図。
【発明を実施するための形態】
【００１１】
以下、図面を参照して、本発明を実施するための形態を例示的に説明する。
【実施例１】
【００１２】
（画像形成装置）
図１２は、画像形成装置１の断面図である。本実施例の画像形成装置１は、電子写真画像形成プロセスを用いて記録媒体Ｓに画像を形成するデジタル複写機である。しかし、画像形成装置１は、例えば、アナログ複写機、電子写真プリンタ（例えばカラーレーザビームプリンタ）、ＭＦＰ（複合機）、ファクシミリ装置、印刷機又はワードプロセッサでもよい。本実施例の画像形成装置１は、モノクロ画像形成装置であるが、画像形成装置１は、カラー画像形成装置でもよい。画像形成装置１は、画像読取部（読み取り光学系）２、画像形成部３、定着器４、原稿搬送部５、光走査装置６及び記録媒体搬送部７を備える。
【００１３】
原稿搬送部５は、原稿Ｐが積載される原稿トレー５２及び原稿トレー５２から原稿台ガラス２０へ原稿を搬送する原稿搬送手段５１を有する。原稿搬送部５は、原稿トレー５２上の原稿Ｐを原稿台ガラス２０へ搬送する。原稿台ガラス２０の上に載置された原稿Ｐ１は、複写開始司令手段（不図示）からの指令信号に応じて、画像読取部２により読み取られる。原稿Ｐ１の画像は、画像読取部２により画像信号へ変換される。画像信号は、デジタル処理部（不図示）へ入力される。デジタル処理部は、画像信号をデジタルデータへ変換し、デジタルデータに必要なデータ処理を施す。処理されたデジタルデータは、画像データとしてデジタル処理部からビデオ変換部（不図示）へ出力される。ビデオ変換部は、画像データをビデオ信号へ変換し、ビデオ信号を光走査装置６へ出力する。光走査装置６は、ビデオ信号に基づいてレーザ光（以下、光ビームという。）Ｌを出力する。
【００１４】
光走査装置６は、偏向手段（偏向器）６１、光源ユニット（光源）６２及び光学素子を備える。光走査装置６は、ビデオ変換部からのビデオ信号に基づいて光ビームＬを偏向手段６１へ向けて出力する。光ビームＬは、感光ドラム（感光体）３１上を走査するように偏向手段６１により偏向される。光ビームＬは、回転する感光ドラム３１上を繰り返し走査して感光ドラム３１上に潜像を形成する。現像器３２は、感光ドラム３１上の潜像に現像剤（トナー）を付着してトナー像を形成する。
【００１５】
一方、画像形成装置１の下部に配置された給紙カセット１０ａまたは１０ｂ内の転写材（記録媒体）Ｓは、取り込みローラ１２により１枚ずつ給送される。転写材Ｓは、給送ローラ１３及び１４によりレジストローラ１５へ給送される。レジストローラ１５は、感光ドラム３１上のトナー像に同期して、感光ドラム３１と転写帯電器３３との間の転写部へ転写材Ｓを搬送する。転写部において、転写帯電器３３により感光ドラム３１上のトナー像が転写材Ｓへ転写される。その後、転写材Ｓは、搬送部１６により定着器４へ搬送される。定着器４は、転写材Ｓに熱および圧力を加えてトナー像を転写材Ｓに定着させる。画像が形成された転写材Ｓは、排紙ローラ１７及び１８により排紙トレー１９へ排紙される。また、次の転写材Ｓは、先の転写材Ｓに対して一定の間隔をもって同様に搬送され、画像形成プロセスを経た後、排紙トレー１９へ排紙される。
【００１６】
感光ドラム３１上に残ったトナーは、クリーナ３４により除去される。さらに、感光ドラム３１は、除電器３５により除電され、帯電器３６により帯電された後、再び光走査装置６により感光ドラム３１に潜像が形成される。以上のような画像プロセスを行う画像形成装置１に用いられる光走査装置６を以下に説明する。
【００１７】
（光走査装置）
図１は、実施例１の光走査装置６の概略断面図である。図２は、実施例１の光走査装置６の概略斜視図である。光走査装置６は、光学素子を収容する光学ハウジング（筐体）９０と、光学ハウジング９０を閉じるカバー部材９１とからなる。光学ハウジング９０は、樹脂材料により形成されている。光源ユニット６２は、半導体レーザ（不図示）、半導体レーザの駆動電気基板６２ａ、コリメータレンズ鏡筒６２ｂ、及びコリメータレンズ６２ｃを有している。半導体レーザから出射された光ビームＬは、コリメータレンズ６２ｃにより平行な光ビームＬにされる。シリンダーレンズ６３は、副走査方向に屈折力を有する。偏向手段６１は、光ビームＬが感光ドラム３１の表面の上を走査するように光ビームＬを偏向する。光ビームＬの偏向は、回転多面鏡（偏向部材）６１ａの回転により行われる。回転多面鏡６１ａは、駆動基板６１ｂ上に実装されたモータ６１ｃにより回転される。駆動基板６１ｂは、モータ６１ｃを駆動するモータ駆動回路が実装されている。トーリックレンズ６４およびシリンダーレンズ６５は、光ビームＬを感光ドラム３１上に所定のスポット径で結像する。トーリックレンズ６４、シリンダーレンズ６５及び反射ミラー６６は、走査光学系（光学手段）を構成する光学要素である。光学ハウジング９０は、光源ユニット６２、偏向手段６１および走査光学系を一体的に保持する。
【００１８】
（光学ハウジング）
光学ハウジング９０は、回転多面鏡６１ａにより偏向された光ビームＬを感光ドラム３１へ向けて通過させる開口部９０ａが形成されている。開口部９０ａは、外部の浮遊粒子が光走査装置６の内部へ侵入することを防ぐための防塵ガラス６７が接着剤等により取り付けられている。本実施例において、開口部９０ａは、光学ハウジング９０に設けられているが、カバー部材９１に設けられていてもよい。ここで、開口部９０ａの偏向手段６１の側の端部９０ａ１を境界として、偏向手段６１が配置される側の光学ハウジング９０の部分を第１の配置部Ａ１という。偏向手段６１が配置される側の反対側の光学ハウジング９０の部分を第２の配置部Ａ２という。
【００１９】
光源ユニット６２、シリンダーレンズ６３、偏向手段６１、トーリックレンズ６４およびシリンダーレンズ６５は、光学ハウジング９０の第１の配置部Ａ１の底面または側壁に配設された支持部により支持されている。反射ミラー６６は、長手方向の両端部を光学ハウジング９０の支持部により支持されている。反射ミラー６６は、長手方向の一方の端部を２点、もう一方の端部を１点で支持されている。３点のうち少なくとも１点は、光学ハウジング９０の第２の配置部Ａ２の底面または側壁に配設された支持部により支持されている。光学ハウジング９０は、カバー部材９１をネジにより締結するための座面９０ｂ、９０ｃ、９０ｄ、９０ｅ、９０ｆ、９０ｇ及び９０ｈが設けられている。
【００２０】
（カバー部材）
図３は、実施例１のカバー部材９１の底面図である。図３は、カバー部材９１を図１で示すところの下側から見た図である。カバー部材９１は、金属の平板で形成されている。カバー部材９１は、光学ハウジング９０に対してネジ締結するための孔９１ｂ、９１ｃ、９１ｄ、９１ｅ、９１ｆ、９１ｇ及び９１ｈが形成されている。孔９１ｂ乃至９１ｈは、図２に示す座面９０ｂ乃至９０ｈにそれぞれ対応する。
【００２１】
（シール部材）
シール部材（密封部材）９２は、発泡ウレタンフォームや低硬度のゴムで形成されている。従来は、１本または複数本の細長く形成されたシール部材をカバー部材９１に貼付するものも多かった。しかし、１ヶ所以上の隙間が発生するため防塵が不十分なものとなる。本実施例においては、防塵性能を高めるために、図３に示す形状に形成した無端状の連続したシール部材９２を両面テープによりカバー部材９１に貼付する。あるいは、一旦溶融した合成ゴムをカバー部材９１の周囲に沿って塗布するようなシール部材を用いてもよい。その場合、シール部材の材料に無駄が生じない。
【００２２】
シール部材９２は、光学ハウジング９０とカバー部材９１の間に配置されて光学ハウジング９０とカバー部材９１の間の隙間をぴったりと閉じ、光走査装置６を密封する。シール部材９２は、光学ハウジング９０とカバー部材９１との間で圧縮されて光学ハウジング９０とカバー部材９１との間を密封する。カバー部材９１の周囲にシール部材９２を配設する。光学ハウジング９０の第１の配置部Ａ１を覆うカバー部材９１の部分において、シール部材９２は、孔９１ｂ、９１ｃ、９１ｄ、９１ｅ及び９１ｆの外側に配設される。すなわち、孔９１ｂ、９１ｃ、９１ｄ、９１ｅ及び９１ｆは、シール部材９２により囲まれている。光学ハウジング９０の第２の配置部Ａ２を覆うカバー部材９１の部分において、シール部材９２は、孔９１ｇ及び９１ｈの内側に配設される。すなわち、孔９１ｇ及び９１ｈは、シール部材９２により囲まれていない。
【００２３】
孔９１ｇは、孔９１ｇより内側に配設されるシール部材９２の部分９２ａ、部分９２ａに連続する部分９２ｂの延長線９２ｂＸ及び部分９２ａに連続する部分９２ｃの延長線９２ｃＸにより囲まれるカバー部材９１の平面部（斜線部）９１ｊに設けられている。孔９１ｈは、孔９１ｈより内側に配設されるシール部材９２の部分９２ｄ、部分９２ｄに連続する部分９２ｅの延長線９２ｅＸ及び部分９２ａに連続する部分９２ｃの延長線９２ｃＸにより囲まれるカバー部材９１の平面部（斜線部）９１ｋに設けられている。平面部９１ｊ及び９１ｋは、反射ミラー６６の長手方向の両端部の近傍の光学ハウジング９０の角部に対応するカバー部材９１の部分に設けられている。
【００２４】
（締結手段）
図４は、実施例１の光学ハウジング９０とカバー部材９１の接合前の状態を示す斜視図である。図５は、接合前の第２の配置部Ａ２を示す斜視図である。図５は、光学ハウジング９０とカバー部材９１の接合前の第２の配置部Ａ２を光学ハウジング９０の側から見た図である。カバー部材９１を光学ハウジング９０に載置した後、カバー部材９１は、光学ハウジング９０の第１の配置部Ａ１にネジ（第１の締結手段）１０１ｂ、１０１ｃ、１０１ｄ、１０１ｅ及び１０１ｆにより締結される。ネジ１０１ｂ、１０１ｃ、１０１ｄ、１０１ｅ及び１０１ｆは、第１の配置部Ａ１においてカバー部材９１を光学ハウジング９０にリジッドに締結（しっかりと固定）する。本実施例において、ネジ１０１ｂ、１０１ｃ、１０１ｄ、１０１ｅ及び１０１ｆは、第１の配置部Ａ１においてカバー部材９１を光学ハウジング９０に対して移動不可能に固定する。
【００２５】
カバー部材９１は、光学ハウジング９０の第２の配置部Ａ２に段付ネジ（第２の締結手段）１０１ｇ及び１０１ｈにより締結される。段付ネジ１０１ｇ及び１０１ｈは、開口部９０ａの長手方向の両端部の近傍に設けられている。段付ネジ１０１ｇ及び１０１ｈは、ねじを切ってない円筒部（以下、肩部という。）１１１ｇ（不図示）及び１１１ｈの外径が孔９１ｇ及び９１ｈの内径よりも小さい。段付ネジ１０１ｇ及び１０１ｈは、光学ハウジング９０とカバー部材９１をシール部材９２の当接方向に位置決めするとともに、当接方向に垂直な方向に光学ハウジング９０とカバー部材９１が相対的に移動可能に締結する。シール部材９２の当接方向は、段付ネジ１０１ｇ及び１０１ｈの締結方向、すなわち、シール部材９２の圧縮方向である。段付ネジ１０１ｇ及び１０１ｈは、熱変形によるカバー部材９１の変形を許容する程度に第２の配置部Ａ２においてカバー部材９１を光学ハウジング９０に締結（固定）する。シール部材９２の外側に配置した段付ネジ１０１ｇ及び１０１ｈは、シール部材９２の安定した圧縮量を維持するために、シール部材９２の近傍に配置されている。
【００２６】
段付ネジ１０１ｇ及び１０１ｈの肩部１１１ｇ（不図示）及び１１１ｈの外径が孔９１ｇ及び９１ｈの内径よりも小さいので、肩部１１１ｇ（不図示）及び１１１ｈと孔９１ｇ及び９１ｈとの間に隙間が形成される。光走査装置６が熱変形したときに、この隙間の分だけ光学ハウジング９０とカバー部材９１との相対移動が可能である。これによって、光走査装置６の反りを防止し、光走査装置６の内部に配置された光学素子の位置ずれを低減することができる。しかし、光走査装置６の外部の微小粉塵は、段付ネジ１０１ｇ及び１０１ｈの肩部１１１ｇ（不図示）及び１１１ｈと孔９１ｇ及び９１ｈとの間の隙間を通して光走査装置６の内部へ侵入するおそれがある。そこで、段付ネジ１０１ｇ及び１０１ｈは、シール部材９２の外側に配置されている。
【００２７】
図６は、接合状態におけるネジ１０１ｆと段付ネジ１０１ｈの断面図である。図６を参照して、接合状態における各部の寸法を説明する。ネジ１０１ｆ及び段付ネジ１０１ｈによる締結部分の寸法を説明するが、他のネジ１０１ｂ−１０１ｅ及び他の段付ネジ１０１ｇによる締結部分も同様の寸法である。カバー部材９１は、平板で形成されている。ネジ１０１ｆによる締結部分において光学ハウジング９０の基準面９０ｊから座面９０ｆまでの高さをＨ１とする。本実施例において、光学ハウジング９０の基準面９０ｊは、シール部材９２に接触する光学ハウジング９０の面である。カバー部材９１の厚さをｔとする。段付ネジ１０１ｈによる締結部分において、光学ハウジング９０の基準面９０ｊから座面９０ｈまでの高さをＨ２とする。段付ネジ１０１ｈの首下長さ（肩部１１１ｈの長さ）をｈとする。Ｈ１＋ｔ＝Ｈ２＋ｈという条件を満たすことにより、カバー部材９１の変形を防ぎ、シール部材９２の圧縮量を安定化させることができ、それによって、光走査装置６の防塵性能を保証する。
【００２８】
また、段付ネジ１０１ｈの肩部１１１ｈの長さｈをカバー部材９１の厚さをｔより大きくする（ｈ＞ｔ）ことにより、座面９０ｈとカバー部材９１との間、および段付ネジ１０１ｈとカバー部材９１との間に滑りが生じることを可能にする。それによって、光走査装置６の変形を抑制することができる。
【００２９】
（カバー部材の変形例）
図７は、別形態の接合状態におけるネジ１０１ｆと段付ネジ１０１ｈの断面図である。図７を参照して、別形態の接合状態における各部の寸法を説明する。カバー部材１９１は、ネジ締結部分１９１ｍに絞り加工が施されている。ネジ締結部分１９１ｍと段付ネジ締結部分１９１ｎの段差をＨ３とする。カバー部材１９１において、カバー部材９１と同様の構成には同様の参照符号を付して説明を省略する。図６と同様に、ネジ締結部分１９１ｍにおいて光学ハウジング９０の基準面９０ｊから座面９０ｆまでの高さをＨ１とする。カバー部材１９１の厚さをｔとする。段付ネジ締結部分１９１ｎにおいて、光学ハウジング９０の基準面９０ｊから座面９０ｈまでの高さをＨ２とする。段付ネジ１０１ｈの肩部１１１ｇの長さをｈとする。Ｈ１＋ｔ＋Ｈ３＝Ｈ２＋ｈという条件を満たすことにより、カバー部材１９１の変形を防ぎ、シール部材９２の圧縮量を安定化させることができ、それによって、光走査装置６の防塵性能を保証する。
【００３０】
また、段付ネジ１０１ｈの肩部１１１ｈの長さｈをカバー部材９１の厚さをｔより大きくする（ｈ＞ｔ）ことにより、座面９０ｈとカバー部材１９１の間、および段付ネジ１０１ｈとカバー部材１９１の間に滑りが生じることを可能にする。それによって、光走査装置６の変形を抑制する。
【００３１】
ネジによる締結部分は、図６に示す平らなネジ締結部分と図７に示す絞り加工されたネジ締結部分１９１ｍの組合せであってもよい。また、カバー部材９１またはカバー部材９１において、段付ネジによる締結部分に絞り等による段差を設けてもよい。
【００３２】
本実施例によれば、光走査装置の熱変形による光学素子の位置ずれを低減するとともに光走査装置の防塵性能を維持することができる。
【実施例２】
【００３３】
以下、実施例２を説明する。実施例２において、実施例１と同様の構造には同様の参照符号を付して説明を省略する。実施例２による画像形成装置（不図示）は、複数の感光ドラム（不図示）上に複数の光ビームＬを走査する光走査装置１０６を有する。
【００３４】
（光走査装置）
図８は、実施例２の光走査装置１０６の概略断面図である。図９は、実施例２の光走査装置１０６の概略斜視図である。光走査装置１０６は、光源ユニット（光源）６２を複数設けている。本実施例において、光走査装置１０６は、２つの光源ユニット６２を有する。光走査装置１０６は、１つの偏向手段６１を用いて偏向手段６１の両側に走査光学系（光学手段）を配設し、２つの感光ドラムを露光する。図８および図９において、図１および図２に示す構成と同様の機能を有する構成には同様の参照符号を付し説明を省略する。
【００３５】
（光学ハウジング）
光学ハウジング９３は、樹脂材料から形成されている。光学ハウジング９３は、回転多面鏡６１ａにより偏向された光ビームＬを感光ドラムへ向けて通過させる開口部９３ａ及び９３ｂが複数設けられている。開口部９３ａ及び９３ｂは、外部の浮遊粒子が光走査装置１０６の内部へ侵入することを防ぐための防塵ガラス６７が接着剤等により取り付けられている。本実施例において、開口部９３ａ及び９３ｂは、光学ハウジング９３に設けられているが、カバー部材９４に設けられていてもよい。ここで、開口部９３ａ及び９３ｂの偏向手段６１の側の端部９３ａ１及び９３ｂ１を境界として、偏向手段６１が配置される側の光学ハウジング９３の部分を第１の配置部Ｂ１、第１の配置部Ｂ１の両側の光学ハウジング９３の部分を第２の配置部Ｂ２という。
【００３６】
光源ユニット６２、シリンダーレンズ６３、偏向手段６１、トーリックレンズ６４およびシリンダーレンズ６５は、光学ハウジング９３の第１の配置部Ｂ１の底面または側壁に配設された支持部により支持されている。反射ミラー６６は、長手方向の両端部を光学ハウジング９３の支持部により支持されている。反射ミラー６６は、長手方向の一方の端部を２点、もう一方の端部を１点で支持されている。３点のうち少なくとも１点は、光学ハウジング９３の第２の配置部Ｂ２の底面あるいは側壁に配設された支持部により支持されている。光学ハウジング９３は、カバー部材９４をネジにより締結するための座面９３ｃ、９３ｄ、９３ｅ、９３ｆ、９３ｇ、９３ｈ、９３ｊ、９３ｋ、９３ｍ、９３ｎ及び９３ｐが設けられている。
【００３７】
（カバー部材）
図１０は、実施例２のカバー部材９４の底面図である。図１０は、カバー部材９４を図７で示すところの下側から見た図である。カバー部材９４は、金属の平板で形成されている。カバー部材９４は、光学ハウジング９３に対してネジ締結するための孔９４ｃ、９４ｄ、９４ｅ、９４ｆ、９４ｇ、９４ｈ、９４ｊ、９４ｋ、９４ｍ、９４ｎ及び９４ｐが形成されている。孔９４ｃ乃至９４ｐは、図９に示す座面９３ｃ乃至９３ｐにそれぞれ対応する。
【００３８】
（シール部材）
シール部材（密封部材）９５は、発泡ウレタンフォームや低硬度のゴム（可撓性部材）で形成されている。本実施例においては、防塵性能を高めるために、図１０に示す形状に形成した無端状の連続したシール部材９５を両面テープによりカバー部材９４に貼付する。あるいは、一旦溶融した合成ゴムをカバー部材９４の周囲に沿って塗布するようなシール部材を用いてもよい。その場合、シール部材の材料に無駄が生じない。
【００３９】
シール部材９５は、光学ハウジング９３とカバー部材９４との間で圧縮されて光学ハウジング９３とカバー部材９４との間を密封する。カバー部材９４の周囲にシール部材９５を配設する。光学ハウジング９３の第１の配置部Ｂ１を覆うカバー部材９４の部分において、シール部材９５は、偏向手段６１を囲む孔９４ｃ、９４ｄ及び９４ｅの外側に配設される。すなわち、孔９４ｃ、９４ｄ及び９４ｅは、シール部材９５により囲まれている。光学ハウジング９３の第２の配置部Ｂ２を覆うカバー部材９４の部分において、シール部材９５は、孔９４ｋ、９４ｍ、９４ｎ及び９４ｐの内側に配設される。すなわち、孔９４ｋ、９４ｍ、９４ｎ及び９４ｐは、シール部材９５により囲まれていない。
【００４０】
第１の配置部Ｂ１においてカバー部材９４を光学ハウジング９３に締結するネジを通す孔のうち偏向手段６１を囲まない孔９４ｆ、９４ｇ、９４ｈ及び９４ｊは、シール部材９５の内側に配設しても外側に配設してもよい。第２の配置部Ｂ２においてカバー部材９４を光学ハウジング９３に締結するネジを通す孔９４ｋ、９４ｍ、９４ｎ及び９４ｐは、図３に示した平面部９１ｊ及び９１ｋと同様の平面部（斜線部）９４ｒ、９４ｓ、９４ｔ及び９４ｕに設けられている。平面部９４ｒ、９４ｓ、９４ｔ及び９４ｕは、反射ミラー６６の長手方向の両端部の近傍の光学ハウジング９３の角部に対応するカバー部材９４の部分に設けられている。
【００４１】
（締結手段）
図１１は、実施例２の光学ハウジング９３とカバー部材９４の接合前の状態を示す斜視図である。カバー部材９４を光学ハウジング９３に載置した後、カバー部材９４は、光学ハウジング９３の第１の配置部Ｂ１のうち偏向手段６１を囲む少なくとも３ヶ所でネジ（第１の締結手段）１０２ｃ、１０２ｄ及び１０２ｅにより締結される。ネジ１０２ｃ、１０２ｄ及び１０２ｅは、第１の配置部Ｂ１においてカバー部材９４を光学ハウジング９３にリジッドに締結（しっかりと固定）する。本実施例において、ネジ１０２ｃ、１０２ｄ及び１０２ｅは、第１の配置部Ｂ１においてカバー部材９４を光学ハウジング９３に対して移動不可能に固定する。
【００４２】
カバー部材９４は、光学ハウジング９３の第２の配置部Ｂ２に段付ネジ（第２の締結手段）１０２ｋ、１０２ｍ、１０２ｎ及び１０２ｐにより締結される。段付ネジ１０２ｋ、１０２ｍ、１０２ｎ及び１０２ｐは、開口部９３ａ及び９３ｂの長手方向の両端部の近傍に設けられている。段付ネジ１０２ｋ、１０２ｍ、１０２ｎ及び１０２ｐは、光学ハウジング９３とカバー部材９４をシール部材９５の当接方向に位置決めするとともに、当接方向に垂直な方向に光学ハウジング９３とカバー部材９４が相対的に移動可能に締結する。シール部材９５の当接方向は、段付ネジ１０２ｋ、１０２ｍ、１０２ｎ及び１０２ｐの締結方向、すなわち、シール部材９５の圧縮方向である。段付ネジ１０２ｋ、１０２ｍ、１０２ｎ及び１０２ｐは、熱変形によるカバー部材９４の変形を許容する程度に第２の配置部Ｂ２においてカバー部材９４を光学ハウジング９３に締結（固定）する。シール部材９５の外側に配置した段付ネジ１０２ｋ、１０２ｍ、１０２ｎ及び１０２ｐは、シール部材９５の安定した圧縮量を維持するために、シール部材９５の近傍に配置されている。
【００４３】
第１の配設部Ｂ１において、孔９４ｆ及び９４ｇは、シール部材９５の内側に配設されているので、ネジ１０２ｆ及び１０２ｇにより締結される。ネジ１０２ｆ及び１０２ｇは、偏向手段６１を囲んでいないので、孔９４ｆ及び９４ｇとともにシール部材９５の外側に配設してもよい。ネジ１０２ｆ及び１０２ｇをシール部材９５の外側に配設した場合、ネジ１０２ｆ及び１０２ｇは、段付ネジでもよい。孔９４ｈ及び９４ｊは、ネジ１０２ｈ及び１０２ｊにより締結される。しかし、本実施例において、孔９４ｈ及び９４ｊは、シール部材９５の外側に配設されているので、ネジ１０２ｈ及び１０２ｊは、段付ネジでもよい。
【００４４】
本実施例によれば、光走査装置の熱変形による光学素子の位置ずれを低減するとともに光走査装置の防塵性能を維持することができる。
【符号の説明】
【００４５】
６、１０６・・・光走査装置
６２・・・光源ユニット（光源）
３１・・・感光ドラム（感光体）
６１・・・偏向手段
６４、６５、６６・・・走査光学系（光学手段）
９０、９３・・・光学ハウジング
９１、９４・・・カバー部材
９２、９５・・・密封部材
１０１ｂ、１０１ｃ、１０１ｄ、１０１ｅ、１０１ｆ、１０２ｃ、１０２ｄ、１０２ｅ
・・・ネジ
１０１ｇ、１０１ｈ、１０２ｋ、１０２ｍ、１０２ｎ、１０２ｐ・・・段付ネジ
９０ａ、９３ａ、９３ｂ・・・開口部
Ａ１、Ｂ１・・・第１の配置部
Ａ２、Ｂ２・・・第２の配置部
Ｌ・・・光ビーム
【図１】
2016099363.tif 000003
【図２】
2016099363.tif 000004
【図３】
2016099363.tif 000005
【図４】
2016099363.tif 000006
【図５】
2016099363.tif 000007
【図６】
2016099363.tif 000008
【図７】
2016099363.tif 000009
【図８】
2016099363.tif 000010
【図９】
2016099363.tif 000011
【図１０】
2016099363.tif 000012
【図１１】
2016099363.tif 000013
【図１２】
2016099363.tif 000014